(57)【要約】【課題】動画効果や広告スペースの有効利用といった目的だけでなく、通行人の注意を引く、よりインパクトの高い電子広告を提示することで、高い宣伝効果を得ることを目的とする。【解決手段】街頭に設置されたディスプレイには、企業の商品宣伝などを行う電子広告が表示されている。（図３（ａ））。ディスプレイの周辺領域において通行人５を感知すると、カメラが通行人５の映像を取得し、通行人５の映像を含む合成映像をディスプレイに表示させる（図３（ｂ）、（ｃ）、（ｄ））。所定時間合成映像が再生された後、再び、ディスプレイには商品宣伝を行う電子広告が表示される（図３（ｅ））。【選択図】図３
2006251300.tif 000002
【特許請求の範囲】
【請求項１】
ディスプレイに電子広告を表示する第１工程と、
前記ディスプレイ周辺の領域において通行人を感知する第２工程と、
感知した前記通行人をカメラで撮影し、前記通行人の映像を含む合成映像を前記ディスプレイに表示する第３工程と、
前記合成映像を所定時間表示した後、前記ディスプレイに再び前記電子広告を表示する第４工程と、
を備えることを特徴とする電子広告表示方法。
【請求項２】
請求項１に記載の電子広告表示方法において、さらに、
前記第２工程において前記通行人を感知したとき、前記ディスプレイに特殊な映像が表示されることを前記通行人に対して所定の方法により通知する工程、
を備え、
前記所定の方法による通知を行ってから所定時間経過後に前記第３工程を実行することを特徴とする電子広告表示方法。
【請求項３】
請求項１または請求項２に記載の電子広告表示方法において、さらに、
前記第２工程において前記通行人を感知したとき、前記第３工程を実行するか否かを所定のアルゴリズムにより決定する工程、
を備えることを特徴とする電子広告表示方法。
【請求項４】
制御装置と、
ディスプレイと、
人体感知センサと、
カメラと、
を備え、
前記制御装置は、
前記ディスプレイに電子広告を表示させる手段と、
前記カメラが撮影した映像を含む合成映像を前記ディスプレイに表示させる手段と、
を備え、
前記制御装置は、前記ディスプレイに前記電子広告を表示させている状態で前記人体感知センサが前記ディスプレイ周辺において通行人を感知したとき、前記カメラによって撮影した前記通行人の映像を含む合成映像を所定時間前記ディスプレイに表示させ、前記所定時間経過後に再び前記ディスプレイに前記電子広告を表示させることを特徴とする電子広告表示装置。
【請求項５】
請求項４に記載の電子広告表示装置において、
前記制御装置は、前記人体感知センサが前記通行人を感知したとき、前記ディスプレイに特殊な映像の再生が開始されることを所定の方法により通知し、前記所定の方法による通知を行ってから所定時間経過後に、前記合成映像を表示させることを特徴とする電子広告表示装置。
【請求項６】
請求項４または請求項５に記載の電子広告表示装置において、
前記制御装置は、前記人体感知センサが前記通行人を感知したとき、前記合成映像を表示させるか否かを所定のアルゴリズムにより決定することを特徴とする電子広告表示装置。
【発明の詳細な説明】
【技術分野】
【０００１】
本発明は、街頭や店舗内において電子広告を表示させる技術に関する。
【背景技術】
【０００２】
企業は、街頭や店舗内などにおいて、様々な方法で商品や役務の広告を行っている。そして、従来型の紙ポスターによる広告に加え、電子式のポスター広告も利用されている。
【０００３】
電子式のポスター広告は、動画を利用することが可能であり、表現力が豊かでインパクトの強い広告であり、その宣伝効果も高い。また、１つの商品広告に対して複数の画像を切り替えて宣伝を行うことや、または複数の商品の広告を切り替えて宣伝することが可能であり、広告表示を行うスペースを有効利用することが可能である。
【発明の開示】
【発明が解決しようとする課題】
【０００４】
しかし、これまでの電子式のポスター広告は、上述したように、動画を利用できるといったメリットや広告スペースを有効に利用できるといったメリットを得るに留まっていた。これらは、紙媒体を利用するポスターに対して電子式のポスターを利用する本質的なメリットであるが、ポスターを電子化することによるコストを考慮した場合、さらに宣伝効果の高い広告方法として利用されることが期待される。そこで、本発明は、電子式のポスター広告の宣伝効果をさらに増大させる技術を提供することを目的とする。
【課題を解決するための手段】
【０００５】
上記課題を解決するため、請求項１記載の発明は、ディスプレイに電子広告を表示する第１工程と、前記ディスプレイ周辺の領域において通行人を感知する第２工程と、感知した前記通行人をカメラで撮影し、前記通行人の映像を含む合成映像を前記ディスプレイに表示する第３工程と、前記合成映像を所定時間表示した後、前記ディスプレイに再び前記電子広告を表示する第４工程と、を備えることを特徴とする。
【０００６】
請求項２記載の発明は、請求項１に記載の電子広告表示方法において、さらに、前記第２工程において前記通行人を感知したとき、前記ディスプレイに特殊な映像が表示されることを前記通行人に対して所定の方法により通知する工程、を備え、前記所定の方法による通知を行ってから所定時間経過後に前記第３工程を実行することを特徴とする。
【０００７】
請求項３記載の発明は、請求項１または請求項２に記載の電子広告表示方法において、さらに、前記第２工程において前記通行人を感知したとき、前記第３工程を実行するか否かを所定のアルゴリズムにより決定する工程、を備えることを特徴とする。
【０００８】
請求項４記載の発明は、制御装置と、ディスプレイと、人体感知センサと、カメラと、を備え、前記制御装置は、前記ディスプレイに電子広告を表示させる手段と、前記カメラが撮影した映像を含む合成映像を前記ディスプレイに表示させる手段と、を備え、前記制御装置は、前記ディスプレイに前記電子広告を表示させている状態で前記人体感知センサが前記ディスプレイ周辺において通行人を感知したとき、前記カメラによって撮影した前記通行人の映像を含む合成映像を所定時間前記ディスプレイに表示させ、前記所定時間経過後に再び前記ディスプレイに前記電子広告を表示させることを特徴とする。
【０００９】
請求項５記載の発明は、請求項４に記載の電子広告表示装置において、前記制御装置は、前記人体感知センサが前記通行人を感知したとき、前記ディスプレイに特殊な映像の再生が開始されることを所定の方法により通知し、前記所定の方法による通知を行ってから所定時間経過後に、前記合成映像を表示させることを特徴とする。
【００１０】
請求項６記載の発明は、請求項４または請求項５に記載の電子広告表示装置において、前記制御装置は、前記人体感知センサが前記通行人を感知したとき、前記合成映像を表示させるか否かを所定のアルゴリズムにより決定することを特徴とする。
【発明の効果】
【００１１】
本発明によれば、電子広告をディスプレイに表示し、ディスプレイの周辺において通行人を感知すると、通行人の映像を含む合成映像をディスプレイに表示する。そして、所定時間経過後に再び電子広告を表示する。これにより、通行人の注意を引くことが可能であり、積極的に電子広告を通行人に提示することが可能である。
【００１２】
また、通行人を感知したとき、特殊な映像が表示されることを通知し、その通知から所定時間経過後に合成映像を表示させる。これにより、合成映像の表示前においても、通行人の注意を電子広告に向けさせることが可能である。
【発明を実施するための最良の形態】
【００１３】
以下、図面を参照しつつ本発明の実施の形態について説明する。図１は、実施の形態に係る電子広告装置の概観図である。電子広告装置は、制御装置１とカメラ２と人体感知センサ３とディスプレイ４とを備えている。この実施の形態では、電子広告装置は、街頭に設置されており、ディスプレイ４は大型スクリーンである。しかし、電子広告装置は、店舗内などの室内に設置されてもよく、ディスプレイ４として小型のディスプレイを利用してもよい。
【００１４】
図２は、電子広告装置のブロック図である。制御装置１には、カメラ２が接続されており、カメラ２で撮影された画像は、画像圧縮回路１１において圧縮処理が施され、ＲＡＭ１５あるいはフラッシュメモリ１６に格納される。また、ＣＰＵ１２は、人体感知センサ３から人体の感知情報を入力し、ディスプレイ４の周辺の領域に通行人５が存在することを認識可能としている。人体感知センサ３は、図１に示すように、ディスプレイ４の近くを通る通行人５を感知するために用いられるセンサである。人体感知センサ３としては、赤外線センサ、感温センサなどを用いることが可能である。
【００１５】
人体感知センサ３が人体を感知する領域は、センサの種類、設置状態などにより適宜調整すればよい。たとえば、ディスプレイ４の周囲５メートルの領域に通行人５が入ったときに感知可能となるように調整してもよいし、周囲１０メールの範囲で感知可能となるように調整してもよい。
【００１６】
ＲＡＭ１５は、撮影画像のバッファ領域として、あるいは、ＣＰＵ１２がプログラム処理を実行する際のワークエリアとして利用される。フラッシュメモリ１６は、撮影画像の格納領域として利用される他、ＣＰＵ１２が実行する各種のプログラムや各種のデータの格納領域として利用されるものであり、図に示すように、電子広告表示プログラム６１、画像合成プログラム６２、電子広告データ６３、合成素材データ６４が格納されている。
【００１７】
電子広告データ６３は、企業の商品や役務を宣伝する電子データであり、静止画像や動画像さらには音声データなどを含んでいる。電子広告表示プログラム６１は、電子広告データ６３を再生するプログラムである。電子広告表示プログラム６１が実行して電子広告データ６３の再生処理が行われると、電子広告データ６３に含まれる画像データは、画像伸張回路１７において伸張処理が施された後、表示コントローラ１８を介してディスプレイ４に表示される。また、電子広告データ６３に含まれる音声データは、図示せぬスピーカから出力される。
【００１８】
画像合成プログラム６２は、カメラ２が撮影した通行人５の映像に合成素材データ６４を合成した上で再生するプログラムである。
【００１９】
また、制御装置１は、カードＩ／Ｆ１３およびネットワークコントローラ１４を備えており、フラッシュメモリ１６に格納されているプログラムやデータをメモリカードやネットワークを介して取得可能としている。
【００２０】
以上のように構成された電子広告装置による電子広告の表示処理の流れを説明する。図３は、ディスプレイ４に表示される画像の一例を示す図である。図の左側から右側に向かって時間が経過している。
【００２１】
まず、最初の状態においては、図３の（ａ）で示すように、制御装置１は、ディスプレイ４に対して企業の商品広告を表示させている。ここでは、電子広告を行っているのは、自動車メーカーであり、車の広告映像が表示されている。具体的には、電子広告表示プログラム６１が、電子広告データ６３に基づいて商品広告をディスプレイ４に表示させている。この間は、広告表示は一方的なものである。
【００２２】
次に、図１に示すように、通行人５がディスプレイ４の周辺の領域に近づき、人体感知センサ３が通行人５を感知する。これにより、ＣＰＵ１２は、通行人５がディスプレイ４の周辺領域に近づいていることを認識し、カメラ２に対して画像の撮影指示を送る。これにより、カメラ２が通行人５の映像の撮影を開始する。あるいは、カメラ２に常時撮影を実行させておき、ＲＡＭ１５をリングバッファとして使用し、常時最新の映像をＲＡＭ１５に記録しておくようにしてもよい。
【００２３】
カメラ２によって撮影された通行人５の映像は、画像圧縮回路１１において圧縮処理された後、ＲＡＭ１５に格納される。また、ＣＰＵ１２が通行人５を認識すると、電子広告表示プログラム６１による電子広告の表示処理が終了し、画像合成プログラム６２による合成映像の再生処理が開始する。つまり、画像合成プログラム６２は、ＲＡＭ１５に転送された通行人５の映像に、合成素材データ６４を合成させてディスプレイ４に表示させるのである。
【００２４】
図３の（ｂ）、（ｃ）、（ｄ）は、合成映像の内容を示している。（ｂ）では、まず、通行人５がディスプレイ４に表示され、続いて、（ｃ）、（ｄ）では、通行人５の映像に、ハートマークの合成素材データ６４が合成されて再生されている。合成素材データ６４を動画像としておけば、通行人５の周辺に、ハートマークが枯葉のように繰り返し舞い落ちるような映像を合成画像として再生させることが可能である。制御装置１は、フラッシュメモリ１６内に複数の合成素材データ６４を格納しておき、毎回異なる合成素材を合成させるようにしてもよい。また、合成素材データ６４にも企業のロゴや商品名などを含ませることで、合成映像自体にも広告要素を取り入れるようにしてもよい。
【００２５】
このような合成映像が所定時間（たとえば、３０秒など）再生された後、図３の（ｅ）で示すように、再び電子広告の表示が行われるのである。つまり、画像合成プログラム６２による処理が終了し、再び電子広告表示プログラム６１による電子広告の表示処理が開始されるのである。
【００２６】
このように、本実施の形態においては、電子広告の表示中に、通行人５がディスプレイ４の周辺の領域に近づくと、通行人５の映像を含む合成映像がディスプレイ４に表示される。これにより、通行人５は、ディスプレイ４に注目することとなる。特に、その合成映像に特殊な効果が施されていれば、より一層通行人５の注意を引く。そして、通行人５の注意を引いた後、再び電子広告の表示が行われるので、通行人５に対して積極的に電子広告を提示することが可能となるのである。
【００２７】
合成画像に施す特殊な効果としては、たとえば、カメラ２により入力した通行人５の映像を左右反転して表示することや、通行人５の映像に対して色変換を行うことや、モノクロ変換などを行うと効果的である。また、遅延処理を行っても効果的である。つまり、通行人５を撮影した映像を遅延させてディスプレイ４に表示させるのである。これにより、通行人５に対して、たとえば１０秒前など少し前の時間の通行人５の映像を映し出し、より興味を与えて注意を引くことが可能である。また、時間帯や四季、曜日に応じて特殊効果を変更することにより、継続して通行人５に興味を抱かせることが可能である。
【００２８】
本実施の形態の変形例を説明する。上記の実施の形態においては、人体感知センサ３が通行人５を感知した時点で、すぐに、電子広告の表示から合成映像の表示に切り替えることとした。これに対して、変形例では、図４に示すように、人体を感知した後、まず、テロップをディスプレイ４に表示し、特殊な映像が開始されることを通行人５に通知することとしている。
【００２９】
たとえば、「これから特殊な映像が流れます。」や、「あなたの映像を利用した特殊な映像が流れます。」といったテロップがディスプレイ４に表示される。このテロップは、電子広告の一部として表示される。たとえば、画面の上部や下部などに表示される。これにより、通行人５は、どのような映像が開始されるのかという興味を抱き、ディスプレイ４に注目するので、この間、電子広告を見ることとなる。そして、テロップを表示させた後、所定時間（たとえば、３０秒）経過後に、合成映像の表示への切り替えが行われるのである。これにより、合成映像の表示が終わってからの電子広告だけでなく、合成映像の表示が開始される前の段階においても電子広告に注目させることが可能であり、より一層宣伝効果をあげることができるのである。
【００３０】
特殊な映像の再生が開始されることを注意する方法としては、他にも、音声を利用してもよい。たとえば、「これからあなたの映像が再生されます。ディスプレイに注目して下さい。」といった音声メッセージを再生するようにしてもよい。
【００３１】
また、別の変形例として、合成映像が表示される確立を操作するという方法も有効である。上記の実施の形態では、人体感知センサ３が通行人５を感知すると、必ず合成映像の表示を行うこととした。そこで、人体感知センサ３が通行人５を感知した場合に、制御装置１が所定のアルゴリズムを実行し、合成映像の再生を行うか否かを決定するのである。たとえば、乱数を用いたアルゴリズムにより合成映像の再生を行うか否かを決定し、合成映像の再生が開始されるのは、３回に１回であるとか、５回に１回であるとか確率を低くするのである。このような制御を行うことにより、合成映像が表示されたときに、より一層通行人５の注意を引くことが可能である。
【図面の簡単な説明】
【００３２】
【図１】電子広告装置の概観図である。
【図２】電子広告装置のブロック図である。
【図３】ディスプレイに対する広告表示および合成映像表示の一例を示す図である。
【図４】人体感知後にテロップを表示させる変形例を示す図である。
【符号の説明】
【００３３】
１      制御装置
２      カメラ
３      人体感知センサ
４      ディスプレイ
５      通行人
【図１】
2006251300.tif 000003
【図２】
2006251300.tif 000004
【図３】
2006251300.tif 000005
【図４】
2006251300.tif 000006